(57)【要約】【課題】車両のドアの解錠および施錠の状態に操作者の意図を適切に反映させる。【解決手段】スマートエントリシステム１０は、運転席アンロックセンサ３１ａと、集中制御ユニット３９と、を備える。運転席アンロックセンサ３１ａは、車両１の運転席のドアのドアハンドル近傍に設けられて操作者の解錠意志を検出する。集中制御ユニット３９は、運転席アンロックセンサ３１ａが操作されたことを検出し、かつ、車両１の近傍における所定の通信範囲内で操作者が所持する携帯機１１との通信が成立したことを検出した場合に、運転席ドアロック４０ａを解錠させる。集中制御ユニット３９は、運転席アンロックセンサ３１ａに対する所定時間未満の操作を検出した場合には、運転席ドアロック４０ａのみを解錠させる。集中制御ユニット３９は、運転席アンロックセンサ３１ａに対する所定時間以上の操作を検出した場合には、全てのドアロック４０を解錠させる。【選択図】図１
2016094723.tif 000002
【特許請求の範囲】
【請求項１】
車両の運転席のドアのドアハンドル近傍に設けられて利用者の解錠意志を検出するアンロックセンサと、該アンロックセンサが操作されたことを検出し、かつ、前記車両の近傍における所定の通信範囲内で前記利用者が所持する携帯機との通信が成立したことを検出した場合に、前記運転席のドアのロック機構を解錠させる制御部と、を備えるスマートエントリシステムであって、
前記制御部は、前記アンロックセンサに対する所定時間未満の操作を検出した場合には、前記運転席のドアのロック機構のみを解錠させ、前記アンロックセンサに対する前記所定時間以上の操作を検出した場合には、前記車両の全てのドアのロック機構を解錠させる、
ことを特徴とするスマートエントリシステム。
【請求項２】
前記制御部は、前記車両の運転席以外のドアのドアハンドル近傍に設けられるアンロックセンサが操作されたことを検出し、かつ、該操作が検出されたドアの近傍における所定の通信範囲内で前記車両の利用者が所持する携帯機との所定の通信が成立したことを検出した場合には、前記所定時間の経過にかかわらず前記車両の全てのドアのロック機構を解錠させる、
ことを特徴とする請求項１に記載のスマートエントリシステム。
【請求項３】
前記制御部は、前記アンロックセンサが操作状態にある間は加算を行い、前記アンロックセンサが非操作状態にある間は減算を行うことで算出される累積値が、前記所定時間に達した際に前記所定時間が経過したと判定する、
ことを特徴とする請求項１または請求項２に記載のスマートエントリシステム。
【請求項４】
前記運転席のドアの近傍における所定の通信範囲内における前記携帯機の存在の有無を定期的に確認する携帯機確認手段と、
前記車両のドアハンドル近傍を照明するドアハンドル照明手段と、を備え、
前記制御部は、前記車両の運転席のドアを少なくとも含むドアが施錠状態で、かつ、前記携帯機確認手段により前記運転席のドアの近傍における所定の通信範囲内に前記携帯機が存在することが確認された場合には前記運転席のドアハンドルのドアハンドル照明手段のみを点灯させ、その後、前記運転席のドアのドアハンドル近傍に設けられる前記アンロックセンサが前記所定時間以上に操作されたことを検出した場合には、前記運転席以外のドアハンドルのドアハンドル照明手段を点灯させる、
ことを特徴とする請求項１から請求項３の何れか１つに記載のスマートエントリシステム。
【請求項５】
前記車両の複数の座席の各々を加温する座席加温手段を備え、
前記制御部は、前記アンロックセンサが前記所定時間未満に操作されたことを検出した場合には、前記運転席の解錠動作とともに前記運転席のみの前記座席加温手段を動作させ、前記アンロックセンサが前記所定時間以上に操作されたことを検出した場合には、全ての座席の前記座席加温手段を動作させる、
ことを特徴とする請求項１から請求項４の何れか１つに記載のスマートエントリシステム。
【請求項６】
前記制御部は、前記車両のメータまたは前記車両と通信可能な携帯端末を用いて前記所定時間および該所定時間に応じた前記ドアの前記ロック機構の制御態様の少なくともいずれかを含む設定項目の設定値の変更を行うカスタマイズ部を有する、
ことを特徴とする請求項１から請求項５の何れか１つに記載のスマートエントリシステム。
【請求項７】
前記カスタマイズ部は、前記設定項目において、前記利用者のみでの前記車両の利用を前提としたプライベートモードと、前記利用者以外も含む状態での前記車両の利用を前提としたパブリックモードとを個別に設定可能な項目を含み、
前記制御部は、前記アンロックセンサが前記所定時間未満に操作されたことを検出した場合には、前記プライベートモードでの動作を行わせ、前記アンロックセンサが前記所定時間以上に操作されたことを検出した場合には、前記パブリックモードでの動作を行わせる、
ことを特徴とする請求項６に記載のスマートエントリシステム。
【請求項８】
前記車両は、該車両の外部に存在する前記利用者に認識可能に可視的動作または可聴的動作によるアンサーバックを行なうアンサーバック部を備え、
前記制御部は、前記所定時間よりも短い時間であって、前記アンロックセンサに対する前記所定時間未満の操作としての前記検出を有効とする操作確定時間が経過したときに前記アンサーバック部を動作させ、前記所定時間が経過したときに再度前記アンサーバック部を動作させる、
ことを特徴とする請求項１から請求項７の何れか１つに記載のスマートエントリシステム。
【発明の詳細な説明】
【技術分野】
【０００１】
この発明は、スマートエントリシステムに関する。
【背景技術】
【０００２】
従来、車両の運転席ドアにおけるドアハンドルの内側に設けられたタッチセンサと、ドアハンドル近傍に設けられた機械式スイッチと、を備えるスマートエントリシステムがある（例えば、特許文献１参照）。このスマートエントリシステムは、運転席ドアのロック状態において、タッチセンサの操作によって運転席ドアのロック状態を選択的に解錠し、その後の所定時間内の機械式スイッチの操作によって運転席ドア以外の少なくとも１つのドアのロック状態を解錠する。また、このスマートエントリシステムは、運転席ドアのロック状態において、機械式スイッチの１回の操作によって運転席ドアのロック状態を選択的に解錠し、その後の所定時間内の機械式スイッチの再操作によって運転席ドア以外の少なくとも１つのドアのロック状態を解錠する。
【先行技術文献】
【特許文献】
【０００３】
【特許文献１】特許第５３１１０８３号公報
【発明の概要】
【発明が解決しようとする課題】
【０００４】
しかしながら、上記従来技術に係るスマートエントリシステムにおいて、タッチセンサおよび機械式スイッチの操作の組み合わせに応じてドアを解錠する場合には、操作手法が異なる複数の操作対象を操作する必要があるので操作が解り難いという問題が生じる。また、機械式スイッチの操作に応じてドアを解錠する場合には、最初の操作から再操作までの間に設定される所定時間を把握することが難しいという問題が生じる。例えば、最初の操作によって、一旦運転席ドアのロック状態が解錠された後に所定時間が経過した後に機械式スイッチの再操作が行われた場合には運転席ドアが再度施錠されるので、操作者の意図とは異なる状態になり、利便性が損なわれるという問題が生じる。
【０００５】
本発明は上記事情に鑑みてなされたもので、車両のドアの解錠および施錠の状態に操作者の意図を適切に反映させることが可能なスマートエントリシステムを提供することを目的としている。
【課題を解決するための手段】
【０００６】
上記課題を解決して係る目的を達成するために、本発明は以下の態様を採用した。
（１）本発明の一態様に係るスマートエントリシステムは、車両の運転席のドア（例えば、実施形態でのドア２ａ）のドアハンドル（例えば、実施形態でのドアハンドル３ａ）近傍に設けられて利用者の解錠意志を検出するアンロックセンサ（例えば、実施形態での運転席アンロックセンサ３１ａ）と、該アンロックセンサが操作されたことを検出し、かつ、前記車両の近傍における所定の通信範囲内で前記利用者が所持する携帯機（例えば、実施形態での携帯機１１）との通信が成立したことを検出した場合に、前記運転席のドアのロック機構（例えば、実施形態での運転席ドアロック４０ａ）を解錠させる制御部（例えば、実施形態での集中制御ユニット３９）と、を備えるスマートエントリシステムであって、前記制御部は、前記アンロックセンサに対する所定時間未満の操作を検出した場合には、前記運転席のドアのロック機構のみを解錠させ、前記アンロックセンサに対する前記所定時間以上の操作を検出した場合には、前記車両の全てのドアのロック機構を解錠させる。
【０００７】
（２）上記（１）に記載のスマートエントリシステムでは、前記制御部は、前記車両の運転席以外のドア（例えば、実施形態でのドア２）のドアハンドル（例えば、実施形態でのドアハンドル３）近傍に設けられるアンロックセンサ（例えば、実施形態での助手席アンロックセンサ３１ｂ、バックドアアンロックセンサ）が操作されたことを検出し、かつ、該押圧操作が検出されたドアの近傍における所定の通信範囲内で前記車両の利用者が所持する携帯機との所定の通信が成立したことを検出した場合には、前記所定時間の経過にかかわらず前記車両の全てのドアのロック機構を解錠させてもよい。
【０００８】
（３）上記（１）または（２）に記載のスマートエントリシステムでは、前記制御部は、前記アンロックセンサが操作状態にある間は加算を行い、前記アンロックセンサが非操作状態にある間は減算を行うことで算出される累積値が、前記所定時間に達した際に前記所定時間が経過したと判定してもよい。
【０００９】
（４）上記（１）から（３）の何れか１つに記載のスマートエントリシステムは、前記運転席のドアの近傍における所定の通信範囲内における前記携帯機の存在の有無を定期的に確認する携帯機確認手段（例えば、実施形態でのスマート制御ユニット３３）と、前記車両のドアハンドル近傍を照明するドアハンドル照明手段（例えば、実施形態でのドアハンドル照明灯４１）と、を備え、前記制御部は、前記車両の運転席のドアを少なくとも含むドアが施錠状態で、かつ、前記携帯機確認手段により前記運転席のドアの近傍における所定の通信範囲内に前記携帯機が存在することが確認された場合には前記運転席のドアハンドルのドアハンドル照明手段（例えば、実施形態での運転席ドアハンドル照明灯４１ａ）のみを点灯させ、その後、前記運転席のドアのドアハンドル近傍に設けられる前記アンロックセンサが前記所定時間以上に操作されたことを検出した場合には、前記運転席以外のドアハンドルのドアハンドル照明手段（例えば、実施形態での助手席ドアハンドル照明灯４１ｂ、バックドアハンドル照明灯）を点灯させてもよい。
【００１０】
（５）上記（１）から（４）の何れか１つに記載のスマートエントリシステムは、前記車両の複数の座席の各々を加温する座席加温手段（例えば、実施形態での座席ヒータ４２）を備え、前記制御部は、前記アンロックセンサが前記所定時間未満に操作されたことを検出した場合には、前記運転席の解錠動作とともに前記運転席のみの前記座席加温手段（例えば、実施形態での運転席ヒータ４２ａ）を動作させ、前記アンロックセンサが前記所定時間以上に操作されたことを検出した場合には、全ての座席の前記座席加温手段を動作させてもよい。
【００１１】
（６）上記（１）から（５）の何れか１つに記載のスマートエントリシステムでは、前記制御部は、前記車両のメータまたは前記車両と通信可能な携帯端末を用いて前記所定時間および該所定時間に応じた前記ドアの前記ロック機構の制御態様の少なくともいずれかを含む設定項目の設定値の変更を行うカスタマイズ部（例えば、実施形態での入力部３８または携帯機１１、および集中制御ユニット３９）を有してもよい。
【００１２】
（７）上記（６）に記載のスマートエントリシステムでは、前記カスタマイズ部は、前記設定項目において、前記利用者のみでの前記車両の利用を前提としたプライベートモードと、前記利用者以外も含む状態での前記車両の利用を前提としたパブリックモードとを個別に設定可能な項目を含み、前記制御部は、前記アンロックセンサが前記所定時間未満に操作されたことを検出した場合には、前記プライベートモードでの動作を行わせ、前記アンロックセンサが前記所定時間以上に操作されたことを検出した場合には、前記パブリックモードでの動作を行わせてもよい。
【００１３】
（８）上記（１）から（７）の何れか１つに記載のスマートエントリシステムでは、前記車両は、該車両の外部に存在する前記利用者に認識可能に可視的動作または可聴的動作によるアンサーバックを行なうアンサーバック部を備え、前記制御部は、前記所定時間よりも短い時間であって、前記アンロックセンサに対する前記所定時間未満の操作としての前記検出を有効とする操作確定時間が経過したときに前記アンサーバック部を動作させ、前記所定時間が経過したときに再度前記アンサーバック部を動作させてもよい。
【発明の効果】
【００１４】
上記（１）に記載の態様に係るスマートエントリシステムによれば、同一のスイッチ（アンロックセンサ）を用いながら、解錠が運転席のみか全席かの切り替えに対する利用者の意図を明確に判別可能にした。これにより利用者にとってわかりやすく、かつ、利用者の意図と車両の動作が相違することがない操作性を確保することができる。
【００１５】
さらに、上記（２）の場合、ドアの解錠に対するセキュリティ性を確保しつつ、荷物の積み下ろし等、運転席以外での使い勝手を向上することができる。
【００１６】
さらに、上記（３）の場合、ノイズや瞬間的に接触圧が弱まった場合等により操作状態の検出が瞬間的に無くなった場合でも操作時間の継続がリセットされてしまうことを防止することができる。これにより、操作状態の検出が瞬間的に無くなった場合の後も操作が継続されている場合にはすぐに所定時間に到達することができ、所望の操作性を確保することができる。
【００１７】
さらに、上記（４）の場合、ドアハンドルの照明によるウェルカム演出を行う場合に、通常時は運転席のみの点灯とし、他のドアから乗車する乗員も居ることが推定される場合には他のドアハンドルのウェルカム照明も行うため、通常時の省電力化と他の乗員に対するおもてなし動作の両立を図ることができる。
【００１８】
さらに、上記（５）の場合、省電力化と他の乗員に対するおもてなし動作の両立を図ることができる。
【００１９】
さらに、上記（６）の場合、利用者がカスタマイズ可能にしたため、より利用者にとってわかりやすい設定が可能となる。
【００２０】
さらに、上記（７）の場合、運転者以外にも乗員が存在することが推定される場合にはパブリックモードに切り替えるため、音声案内の種類等、カスタマイズ項目で趣味性の高い設定を行っている場合でも他の乗員に不快感を与える虞がない。
【００２１】
さらに、上記（８）の場合、操作確定時間の経過によりアンロックセンサに対する入力が確定したこと、および所定時間の経過により解錠動作内容が切り替えられることの各々を、利用者に認識可能とすることができる。これにより、より一層、確実に、利用者の意図と車両の動作が相違することがない操作性を確保することができる。
【図面の簡単な説明】
【００２２】
【図１】本発明の実施形態に係るスマートエントリシステムの構成を示すブロック図である。
【図２】本発明の実施形態に係るスマートエントリシステムを搭載する車両を車体左右方向の外部から見た図である。
【図３】本発明の実施形態に係るスマートエントリシステムの動作を示す模式図である。
【発明を実施するための形態】
【００２３】
以下、本発明の一実施形態に係るスマートエントリシステムについて添付図面を参照しながら説明する。
【００２４】
実施形態によるスマートエントリシステム１０は、図１に示すように、車両１の電子キーとして機能する携帯機１１と、車両１に搭載される車載システム１２と、を備えている。
携帯機１１は、車両１の運転者が所持する通信端末である。携帯機１１は、車載システム１２との間で無線通信を行う。携帯機１１は、車載システム１２から送信されるリクエスト信号に応答する応答信号、および所定の車載機器の作動を指示する指令信号などを、固有の識別情報とともに送信する。携帯機１１は、車両１の駆動源（内燃機関またはモータなど）の始動または停止、および車両１の後述するドアロック４０の駆動によるドア２の施錠または解錠などを指示する。
【００２５】
携帯機１１は、通信機２１、操作スイッチ２２、および制御部２３を備えている。
通信機２１は、車載システム１２の後述する送信機３４および受信機３５と無線通信を行なう。通信機２１は、車載システム１２の送信機３４から定期的に送信されるＬＦ（Low Frequency）信号をＬＦアンテナ（図示略）によって受信する。携帯機１１は、ＲＦ（Radio Frequency）信号をＲＦアンテナ（図示略）によって車載システム１２の受信機３５に送信する。
操作スイッチ２２は、操作者の入力操作を受け付けて、入力操作に応じた信号（例えば、所定の車載機器の作動を指示する指令信号など）を出力する。
【００２６】
制御部２３は、携帯機１１の動作を統括的に制御する。
制御部２３は、車載システム１２から間欠的に送信されるＬＦ信号によるリクエスト信号を通信機２１が受信した場合に、このリクエスト信号が正規のリクエスト信号であるか否かを判定する。制御部２３は、受信したリクエスト信号が正規のリクエスト信号であると判定すると、このリクエスト信号に対する応答として固有の識別情報を有するＲＦ信号による応答信号を車載システム１２に送信することを通信機２１に指示する。制御部２３は、操作スイッチ２２から所定の車載機器の作動を指示する指令信号が出力されると、この指令信号を車載システム１２に送信することを通信機２１に指示する。
【００２７】
車載システム１２は、複数のアンロックセンサ３１（運転席アンロックセンサ３１ａ、助手席アンロックセンサ３１ｂ、バックドアアンロックセンサ、…）と、スマート制御ユニット３３と、送信機３４と、受信機３５と、ドアロック状態検知部３６と、ドアスイッチ３７と、入力部３８と、集中制御ユニット３９と、複数のドアロック４０（運転席ドアロック４０ａ、助手席ドアロック４０ｂ、バックドアロック、…）と、複数のドアハンドル照明灯４１（運転席ドアハンドル照明灯４１ａ、助手席ドアハンドル照明灯４１ｂ、バックドアハンドル照明灯、…）と、複数の座席ヒータ４２（運転席ヒータ４２ａ、ヒータ４２ｂ、…）と、を備えている。
【００２８】
複数のアンロックセンサ３１の各々は、車両１の複数のドア２におけるドアハンドル３の各々の近傍に配置されている。運転席アンロックセンサ３１ａは、図２に示すように、運転席のドア２ａにおけるドアハンドル３ａの外表面に配置されている。助手席アンロックセンサ３１ｂは、助手席のドア２（図示略）におけるドアハンドル３（図示略）の外表面に配置されている。バックドアアンロックセンサ（図示略）は、後部のドア（バックドア）２におけるドアハンドル３（図示略）の外表面に配置されている。複数のアンロックセンサ３１の各々は、例えば、操作者の手指などによる押圧操作を検出する機械式スイッチである。複数のアンロックセンサ３１の各々は、操作者の押圧操作に応じてドア２の解錠を指示する信号を出力する。これにより複数のアンロックセンサ３１の各々は、操作者のドア２に対する解錠意思を検出する。
【００２９】
スマート制御ユニット３３は、汎用の通信ラインであるＣＡＮ通信ラインなどによって、集中制御ユニット３９などに相互に通信可能に接続されている。スマート制御ユニット３３は、送信機３４および受信機３５と携帯機１１との無線通信を制御する。送信機３４は、複数のドアハンドル３の各々に設けられるＬＦアンテナを備えている。受信機３５は、スマート制御ユニット３３に内蔵されるＲＦアンテナを備えている。スマート制御ユニット３３は、送信機３４から周辺の所定の通信範囲内に定期的にＬＦ信号によるリクエスト信号を送信する。スマート制御ユニット３３は、リクエスト信号に応答する携帯機１１からのＲＦ信号による応答信号を受信機３５が受信した場合に、この応答信号に含まれる識別情報と、予め記憶している識別情報とを比較する。スマート制御ユニット３３は、受信した識別情報と記憶している識別情報とが一致する場合に、携帯機１１と送信機３４および受信機３５との通信が成立したことを検出するとともに、携帯機１１を所持する操作者が正規の操作者であると認証する。スマート制御ユニット３３は、携帯機１１の操作者が正規の操作者であると認証した後、携帯機１１から出力される所定の車載機器の作動を指示する指令信号を受信機３５が受信した場合に、この指令信号を集中制御ユニット３９に送信する。
スマート制御ユニット３３は、複数のアンロックセンサ３１の各々から出力される信号（ドア２の解錠要求および施錠要求の各々の信号）を受信した場合に、この信号を集中制御ユニット３９に送信する。
【００３０】
ドアロック状態検知部３６は、複数のドア２の各々において操作者の操作によってドアロック４０を機械的に駆動する操作部材（図示略）の位置情報（つまり、ドア２の解錠および施錠の情報）の信号を出力する。
ドアスイッチ（ドアＳＷ）３７は、複数のドア２の各々における開閉情報の信号を出力する。
入力部３８は、操作者の入力操作を受け付けて、入力操作に応じた信号を出力する。入力部３８は、例えば、車両１のマルチインフォメーションディスプレイ（図示略）を用いて各種の設定変更を行なうスイッチ（図示略）などである。
【００３１】
集中制御ユニット３９は、ＣＰＵなどのプロセッサ、プログラムを格納するＲＯＭ、およびデータを一時的に記憶するＲＡＭなどを備えている。集中制御ユニット３９は、スマート制御ユニット３３とともに、いわゆるボディコントロールモジュール（ＢＣＭ）を構成している。集中制御ユニット３９は、各種の車載機器の動作を統括的に制御する。集中制御ユニット３９は、スマート制御ユニット３３から出力される信号と、ドアロック状態検知部３６およびドアスイッチ３７の各々から出力される信号とに応じて、複数のドアロック４０、ドアハンドル照明灯４１、および座席ヒータ４２を制御する。
【００３２】
複数のドアロック４０の各々は、ドア２の解錠および施錠の各々を行なうドアロック機構（図示略）と、ドアロック機構を駆動するドアロックモータ（図示略）と、を備えている。運転席ドアロック４０ａ、助手席ドアロック４０ｂ、およびバックドアロックの各々は、運転席のドア２ａ、助手席のドア２、およびバックドア２の各々に設けられている。
複数のドアハンドル照明灯４１の各々は、複数のドアハンドル３の各々の近傍を照明する。運転席ドアハンドル照明灯４１ａ、助手席ドアハンドル照明灯４１ｂ、およびバックドアハンドル照明灯の各々は、運転席のドアハンドル３ａ、助手席のドアハンドル３、およびバックドア２のドアハンドル３の各々に設けられている。
複数の座席ヒータ４２の各々は、複数の座席の各々を加温する。運転席ヒータ４２ａおよび助手席ヒータ４２ｂの各々は、運転席および助手席の各々を加温する。
【００３３】
実施形態によるスマートエントリシステム１０は上記構成を備えており、次に、このスマートエントリシステム１０の動作の一例について説明する。
【００３４】
集中制御ユニット３９は、全てのドア２の施錠を検出する状態において、運転席アンロックセンサ３１ａが操作されたことを検出し、かつ、車両１の近傍における所定の通信範囲内で操作者が所持する携帯機１１と送信機３４および受信機３５との通信が成立したことを検出した場合に、運転席のドア２ａにおける運転席ドアロック４０ａを解錠させる。
集中制御ユニット３９は、図３に示すように、運転席アンロックセンサ３１ａに対する下限時間以上、かつ所定時間未満の操作を検出した場合には、運転席ドアロック４０ａのみを解錠させる。集中制御ユニット３９は、運転席アンロックセンサ３１ａに対する所定時間以上の操作を検出した場合には、車両１の全てのドア２のドアロック４０を解錠させる。
【００３５】
下限時間は、例えば数十ミリ秒（５０ｍｓなど）である。所定時間は、例えば数秒（例えば、３ｓなど）である。集中制御ユニット３９は、各アンロックセンサ３１が操作状態にある間は加算を行い、各アンロックセンサ３１が非操作状態にある間は減算を行うことで算出される累積値が、所定時間に達した際に所定時間が経過したと判定する。
【００３６】
なお、集中制御ユニット３９は、全てのドア２の施錠を検出する状態において、運転席のドア２ａ以外のドア２においてアンロックセンサ３１が操作されたことを検出し、かつ、車両１の近傍における所定の通信範囲内で操作者が所持する携帯機１１と送信機３４および受信機３５との通信が成立したことを検出した場合には、所定時間の経過にかかわらずに車両１の全てのドア２のドアロック４０を解錠させる。
【００３７】
集中制御ユニット３９は、図３に示すように、運転席のドア２ａのみの解錠を検出する状態において、運転席アンロックセンサ３１ａに対する下限時間以上、かつ所定時間未満の操作を検出した場合には、運転席ドアロック４０ａを施錠させる。集中制御ユニット３９は、運転席アンロックセンサ３１ａに対する所定時間以上の操作を検出した場合には、車両１の全てのドア２のドアロック４０を解錠させる。
【００３８】
集中制御ユニット３９は、図３に示すように、全てのドア２の解錠を検出する状態において、運転席アンロックセンサ３１ａに対する下限時間以上の操作を検出した場合には、車両１の全てのドア２のドアロック４０を解錠させる。
【００３９】
集中制御ユニット３９は、運転席のドア２ａを少なくとも含むドア２が施錠状態で、かつ、運転席のドア２ａの近傍における所定の通信範囲内に携帯機１１が存在することを検出した場合には、運転席ドアハンドル照明灯４１ａのみを点灯させる。その後、集中制御ユニット３９は、運転席アンロックセンサ３１ａが所定時間以上に操作されたことを検出した場合には、運転席のドアハンドル３ａ以外のドアハンドル３におけるドアハンドル照明灯４１を点灯させる。
【００４０】
集中制御ユニット３９は、運転席アンロックセンサ３１ａに対する下限時間以上、かつ所定時間未満の操作を検出した場合には、運転席ドアロック４０ａの解錠動作とともに運転席ヒータ４２ａのみを動作させる。集中制御ユニット３９は、運転席アンロックセンサ３１ａに対する所定時間以上の操作を検出した場合には、全てのドアロック４０の解錠動作とともに全ての座席ヒータ４２を動作させる。
【００４１】
集中制御ユニット３９は、入力部３８から出力される信号に応じて所定時間および所定時間に応じたドアロック４０の制御態様の少なくともいずれかを含む設定項目の設定値の変更を行う。
集中制御ユニット３９は、ドアロック４０の制御態様の設定項目として、操作者のみでの車両１の利用を前提としたプライベートモードと、操作者以外も含む状態での車両１の利用を前提としたパブリックモードとを、個別に設定可能な項目を備えている。集中制御ユニット３９は、運転席アンロックセンサ３１ａに対する下限時間以上、かつ所定時間未満の操作を検出した場合には、運転席ドアロック４０ａの解錠動作とともに、所定の車載機器のプライベートモードでの動作を行わせる。集中制御ユニット３９は、運転席アンロックセンサ３１ａに対する所定時間以上の操作を検出した場合には、全てのドアロック４０の解錠動作とともに所定の車載機器のパブリックモードでの動作を行わせる。
【００４２】
集中制御ユニット３９は、例えば、ドアロック４０の解錠動作に伴って音声によるアンサーバックを行なう際に、プライベートモードでの音声とパブリックモードでの音声とを個別に設定する。集中制御ユニット３９は、プライベートモードでの動作時には、プライベートモードに設定された音声でアンサーバックを行ない、パブリックモードでの動作時には、パブリックモードに設定された音声でアンサーバックを行なう。
【００４３】
上述したように、実施形態によるスマートエントリシステム１０によれば、単一の運転席アンロックセンサ３１ａに対する異なる操作状態に応じて、運転席のドア２ａのみの解錠と全てのドア２の解錠との切り替えに対する操作者の意図を明確に判別することができる。これによりセキュリティ性を確保しつつ、操作者にとってわかりやすく、かつ、操作者の意図と車両１の動作が相違することがない操作性を確保することができる。
さらに、運転席アンロックセンサ３１ａ以外のアンロックセンサ３１に対する操作に応じて全てのドア２を解錠させるので、荷物の積み下ろし等、運転席以外での使い勝手を向上することができる。
【００４４】
さらに、各アンロックセンサ３１の操作状態の有無に応じて加算および減算を行なうことで算出される累積値によって所定時間の経過を判定する集中制御ユニット３９を備えるので、ノイズや瞬間的に接触力が弱まった場合等により操作状態の検出が瞬間的に無くなった場合でも操作時間の継続がリセットされてしまうことを防止することができる。これにより、操作状態の検出が瞬間的に無くなった場合の後も操作が継続されている場合にはすぐに所定時間に到達することができ、所望の操作性を確保することができる。
【００４５】
さらに、ドアハンドル照明灯４１によるウェルカム演出を行う場合に、通常時は運転席ドアハンドル照明灯４１ａのみの点灯とし、他のドア２から乗車する乗員も居ることが推定される場合には他のドアハンドル照明灯４１のウェルカム演出も行うため、通常時の省電力化と他の乗員に対するおもてなし動作の両立を図ることができる。
さらに、座席ヒータ４２の予熱を行なう場合に、運転席のドア２ａのみの解錠と全てのドア２の解錠との切り替えに対応して、作動する座席ヒータ４２を切り替えるので、省電力化と運転者以外の他の乗員に対するおもてなし動作の両立を図ることができる。
【００４６】
さらに、所定時間および所定時間に応じたドアロック４０の制御態様の少なくともいずれかを、入力部３８または携帯機１１に対する操作者の操作に応じて変更する集中制御ユニット３９を備えるので、より操作者にとってわかりやすい設定が可能となる。
さらに、運転者以外にも乗員が存在することが推定される場合には、ドアロック４０の制御態様をパブリックモードに切り替えるため、音声案内の種類等、プライベートモードのカスタマイズ項目で趣味性の高い設定を行っている場合でも他の乗員に不快感を与える虞がない。
【００４７】
以下、上述した実施形態の変形例について説明する。
上述した実施形態において、複数のアンロックセンサ３１の各々は、機械式スイッチであるとしたが、これに限定されず、例えば静電容量型などのタッチセンサであってもよい。
【００４８】
上述した実施形態において、集中制御ユニット３９は、アンロックセンサ３１の操作を検出するとともに、携帯機１１と送信機３４および受信機３５との通信成立を検出した場合に、ドアロック４０の動作を制御するとしたが、これに限定されない。
集中制御ユニット３９は、アンロックセンサ３１の操作を検出することに先立って通信成立を検出する場合、およびアンロックセンサ３１の操作を検出してから新たに通信成立を検出する場合の何れかを採用してドアロック４０の動作を制御してもよい。また、集中制御ユニット３９は、アンロックセンサ３１の操作検出前後での通信範囲を相違させることによって２段階で通信成立を検出してもよい。集中制御ユニット３９は、例えば、アンロックセンサ３１の操作検出前には車両１の周辺の相対的に大きな通信範囲で通信成立を検出し、アンロックセンサ３１の操作検出後にはドアハンドル３の周辺の相対的に小さな通信範囲で通信成立を検出してもよい。
【００４９】
上述した実施形態において、集中制御ユニット３９は、入力部３８から出力される信号に応じて、所定時間および所定時間に応じたドアロック４０の制御態様の少なくともいずれかを含む設定項目の設定値の変更を行うとしたが、これに限定されない。
集中制御ユニット３９は、例えば、操作者が所持する携帯端末から出力される信号に応じて、所定時間および所定時間に応じたドアロック４０の制御態様の少なくともいずれかを含む設定項目の設定値の変更を行なってもよい。携帯端末は、例えばＢｌｕｅｔｏｏｔｈ（登録商標）などの近距離無線通信、またはＷｉ−Ｆｉ（登録商標）などの無線ＬＡＮ（Local Area Network）などによって、車両１の車載システム１２との間で無線通信を行う。
【００５０】
上述した実施形態において、車載システム１２は、複数のドアハンドル照明灯４１および座席ヒータ４２を備えるとしたが、これに限定されず、複数のドアハンドル照明灯４１および座席ヒータ４２の少なくとも何れかは省略されてもよい。
【００５１】
上述した実施形態において、車載システム１２は、車両１の外部に存在する操作者に認識可能に可視的動作または可聴的動作によるアンサーバックを行なうアンサーバック部を備えてもよい。アンサーバック部は、例えば、可視的動作として点灯または点滅などを行なう灯体、可聴的動作として電子音を出力するスピーカーなどである。
集中制御ユニット３９は、所定時間よりも短い時間であって、アンロックセンサ３１に対する所定時間未満の操作としての検出を有効とする操作確定時間が経過したときにアンサーバック部を動作させ、所定時間が経過したときに再度アンサーバック部を動作させてもよい。集中制御ユニット３９は、例えば電子音（「ピッ」などの電子音）を出力するアンサーバックに対して、操作確定時間が経過したときの電子音と、所定時間が経過したときの電子音とを異ならせてもよい。
この変形例によれば、操作確定時間の経過によりアンロックセンサに対する入力が確定したこと、および所定時間の経過により解錠動作内容が切り替えられることの各々を、操作者に認識可能とすることができる。これにより、より一層、確実に、操作者の意図と車両の動作が相違することがない操作性を確保することができる。
【００５２】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…車両、１０…スマートエントリシステム、１１…携帯機、１２…車載システム、２１…通信部、２２…操作スイッチ、２３…制御部、３１…アンロックセンサ、３１ａ…運転席アンロックセンサ、３１ｂ…助手席アンロックセンサ、３３…スマート制御ユニット、３４…送信機、３５…受信機、３６…ドアロック状態検知部、３７…ドアスイッチ、３８…入力部、３９…集中制御ユニット（制御部）、４０…ドアロック、４０ａ…運転席ドアロック、４０ｂ…助手席ドアロック、４１…ドアハンドル照明灯、４１ａ…運転席ドアハンドル照明灯、４１ｂ…助手席ドアハンドル照明灯、４２…座席ヒータ、４２ａ…運転席ヒータ、４２ｂ…助手席ヒータ
【図１】
2016094723.tif 000003
【図２】
2016094723.tif 000004
【図３】
2016094723.tif 000005